(57)【要約】【課題】本発明の実施形態は、停電時においてもオートロック等の建物側セキュリティの低下を防ぐエレベータシステムを提供することを目的とする。【解決手段】本発明の実施形態に係るエレベータシステムは、電源供給元切替手段によって、制御装置への電源供給元を商用電源から非常用バッテリに切り替えられた際に、非常用バッテリは、電源バックアップラインを介して、集合玄関自動ドア、鍵制御盤、及び集合玄関キーリーダに対して電源を供給することを特徴とする。【選択図】図１
2014213988.tif 000002
【特許請求の範囲】
【請求項１】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する集合玄関自動ドアと、
前記制御装置と接続され、前記玄関自動ドアのオートロック機能を解錠及びロック動作を制御する鍵制御盤と、
前記鍵制御盤と接続され、利用者の操作により前記鍵制御盤に対して、解錠信号を出力する集合玄関キーリーダと、
前記非常用バッテリと、前記集合玄関自動ドア、前記鍵制御盤、及び前記集合玄関キーリーダとを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記集合玄関自動ドア、前記鍵制御盤、及び前記集合玄関キーリーダに対して電源を供給することを特徴とするエレベータシステム。
【請求項２】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する集合玄関自動ドアと、
前記制御装置と接続され、前記集合玄関自動ドアのオートロック機能を解錠・ロック動作を制御すると共にエレベータかごを建物基準階に引き戻すための制御信号を前記制御装置に出力する鍵制御盤と、
前記鍵制御盤と接続され、利用者の操作により前記鍵制御盤から前記集合玄関自動ドアに対して解錠信号を出力させる集合玄関キーリーダと、
前記非常用バッテリと、前記集合玄関自動ドア、前記鍵制御盤、及び前記集合玄関キーリーダとを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記集合玄関自動ドア、前記鍵制御盤、及び前記集合玄関キーリーダに対して電源を供給することを特徴とするエレベータシステム。
【請求項３】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する玄関自動ドアと、
前記制御装置と接続され、前記玄関自動ドアのオートロック機能を解錠・ロック動作を制御すると共にエレベータかごを建物基準階に引き戻すための制御信号を前記制御装置に出力する鍵制御盤と、
前記鍵制御盤と接続され、利用者の操作により前記鍵制御盤から前記玄関自動ドアに対して解錠信号を出力させる集合玄関キーリーダと、
前記非常用バッテリと、前記集合玄関自動ドア、前記鍵制御盤、及び前記集合玄関キーリーダとを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記鍵制御盤、及び前記集合玄関キーリーダに対して電源を供給し、前記鍵制御盤は前記エレベータかごの引き戻し機能を発揮させることを特徴とするエレベータシステム。
【請求項４】
停電時において、前記非常用バッテリの残量が所定値以上である場合には、前記バックアップラインを介して、非常用バッテリの電力を前記制御装置、前記集合玄関自動ドア、前記鍵制御盤、及び前記集合玄関キーリーダへ電力供給を行い、前記鍵制御盤は前記玄関自動ドアのオートロック機能を解錠・ロック動作を制御すると共にエレベータかごを建物基準階に引き戻すための制御信号を前記制御装置に出力し、前記非常用バッテリの残量が所定値未満である場合には、前記バックアップラインを介して、非常用バッテリの電力を前記集合玄関自動ドア、前記鍵制御盤、及び前記集合玄関キーリーダへ電力供給を行い、前記集合玄関のオートロック機能を発揮させ、前記鍵制御盤は前記エレベータのかご引き戻し機能を発揮させないことを特徴とする請求項１に記載のエレベータシステム。
【請求項５】
停電時において、前記非常用バッテリの残量が所定値以上である場合には、前記バックアップラインを介して、非常用バッテリの電力を前記制御装置、前記集合玄関自動ドア、前記鍵制御盤、及び前記集合玄関キーリーダへ電力供給を行い、前記鍵制御盤は前記玄関自動ドアのオートロック機能を解錠・ロック動作を制御すると共にエレベータかごを建物基準階に引き戻すための制御信号を前記制御装置に出力し、前記非常用バッテリの残量が所定値未満である場合には、前記バックアップラインを介した前記集合玄関自動ドア、前記鍵制御盤、及び前記集合玄関キーリーダへの電力供給を停止し、非常用バッテリの電力を前記制御装置へ優先的に供給することによってエレベータの利用を可能にすることを特徴とする請求項１に記載のエレベータシステム。
【請求項６】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する集合玄関自動ドアと、
前記制御装置と接続され、前記集合玄関自動ドアのオートロック機能を解錠及びロック動作を制御する鍵制御盤と、
前記鍵制御盤と接続され、利用者の操作により前記鍵制御盤に対して、解錠信号を出力する集合玄関キーリーダと、
前記鍵制御盤に接続され、建物居住者側に備えられ前記集合玄関自動ドアのオートロック機能を解錠するための解錠信号を前記鍵制御盤に出力するインターホン装置と、
前記非常用バッテリと、前記集合玄関自動ドア、前記鍵制御盤、前記集合玄関キーリーダ、及び前記インターホン装置とを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記集合玄関自動ドア、前記鍵制御盤、前記集合玄関キーリーダ、及び前記インターホン装置に対して電源を供給することを特徴とするエレベータシステム。
【請求項７】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する集合玄関自動ドアと、
前記制御装置と接続され、前記集合玄関自動ドアのオートロック機能を解錠・ロック動作を制御すると共にエレベータかごを建物基準階に引き戻すための制御信号を前記制御装置に出力する鍵制御盤と、
前記鍵制御盤と接続され、利用者の操作により前記鍵制御盤から前記集合玄関自動ドアに対して解錠信号を出力させる集合玄関キーリーダと、
前記鍵制御盤に接続され、建物居住者側に備えられ前記集合玄関自動ドアのオートロック機能を解錠するための解錠信号を前記鍵制御盤に出力するインターホン装置と、
前記非常用バッテリと、前記集合玄関自動ドア、前記鍵制御盤、前記集合玄関キーリーダ、及び前記インターホン装置とを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記集合玄関自動ドア、前記鍵制御盤、前記集合玄関キーリーダ、及び前記インターホン装置に対して電源を供給することを特徴とするエレベータシステム。
【請求項８】
エレベータの運転を制御する制御装置に対して電源供給を行う商用電源からの電源供給が遮断されたことを検出する停電検出手段と、
前記制御装置に対して、前記商用電源と共通の回路を介して接続された非常用バッテリと、
前記停電検出手段によって前記商用電源から前記制御装置への電源供給が遮断されたことを検出すると、前記制御装置への電源供給元を前記商用電源から前記非常用バッテリに切り替える、電源供給元切替手段と、
建物側に設置されるオートロック機能を有する玄関自動ドアと、
前記制御装置と接続され、前記玄関自動ドアのオートロック機能を解錠・ロック動作を制御すると共にエレベータかごを建物基準階に引き戻すための制御信号を前記制御装置に出力する鍵制御盤と、
前記鍵制御盤と接続され、利用者の操作により前記鍵制御盤から前記玄関自動ドアに対して解錠信号を出力させる集合玄関キーリーダと、
前記鍵制御盤に接続され、建物居住者側に備えられ前記集合玄関自動ドアのオートロック機能を解錠するための解錠信号を前記鍵制御盤に出力するインターホン装置と、
前記非常用バッテリと、前記鍵制御盤、前記集合玄関キーリーダ、及び前記インターホン装置とを電気的に接続するための電源バックアップラインと、
を備え、
前記電源供給元切替手段によって、前記制御装置への電源供給元を前記商用電源から前記非常用バッテリに切り替えられた際に、前記非常用バッテリは、前記電源バックアップラインを介して、前記鍵制御盤、前記集合玄関キーリーダ、及び前記インターホン装置に対して電源を供給し、前記鍵制御盤は前記エレベータかごの引き戻し機能を発揮させることを特徴とするエレベータシステム。
【請求項９】
停電時において、前記非常用バッテリの残量が所定値以上である場合には、前記バックアップラインを介して、非常用バッテリの電力を前記制御装置、前記集合玄関自動ドア、前記鍵制御盤、前記集合玄関キーリーダ、及び前記インターホン装置へ電力供給を行い、前記鍵制御盤は前記玄関自動ドアのオートロック機能を解錠・ロック動作を制御すると共にエレベータかごを建物基準階に引き戻すための制御信号を前記制御装置に出力し、前記非常用バッテリの残量が所定値未満である場合には、前記バックアップラインを介して、非常用バッテリの電力を前記集合玄関自動ドア、前記鍵制御盤、前記集合玄関キーリーダ、及び前記インターホン装置へ電力供給を行い、前記集合玄関のオートロック機能を発揮させ、前記鍵制御盤は前記エレベータのかご引き戻し機能を発揮させないことを特徴とする請求項６に記載のエレベータシステム。
【請求項１０】
停電時において、前記非常用バッテリの残量が所定値以上である場合には、前記バックアップラインを介して、非常用バッテリの電力を前記制御装置、前記集合玄関自動ドア、前記鍵制御盤、前記集合玄関キーリーダ、及び前記インターホン装置へ電力供給を行い、前記鍵制御盤は前記玄関自動ドアのオートロック機能を解錠・ロック動作を制御すると共にエレベータかごを建物基準階に引き戻すための制御信号を前記制御装置に出力し、前記非常用バッテリの残量が所定値未満である場合には、前記バックアップラインを介した前記集合玄関自動ドア、前記鍵制御盤、前記集合玄関キーリーダ、及び前記インターホン装置への電力供給を停止し、非常用バッテリの電力を前記制御装置へ優先的に供給することによってエレベータの利用を可能にすることを特徴とする請求項６に記載のエレベータシステム。
【発明の詳細な説明】
【技術分野】
【０００１】
本発明の実施形態は、停電時においてもオートロック等の建物側セキュリティの低下を防ぐエレベータシステムに関する。
【背景技術】
【０００２】
エレベータは主電源（主として商用交流電源）からの電力供給により、インバータ等の電力変換装置が巻上機を運転制御し、巻上機の駆動力により乗りかごが昇降路内を昇降するようになっている。このとき、何らかの原因により、停電が発生すると主電源からの電力供給が遮断されるため、エレベータの運転が停止することになる。
【０００３】
通常、エレベータには停電時に主電源に代わって電力供給をする非常電源用バッテリが備えられており、この非常電源用バッテリによって停電時であってもエレベータの運転制御を行うことができるようになっている（停電時継続運転）。
【０００４】
また、エレベータが設置される建物においては、セキュリティ向上を目的として、エントランスにオートロックドアなどを備えるものも増えてきている。このオートロックシステムに関して近年ではロック解除と連動してエレベータの乗場呼び登録さらには行先階登録を行うシステム（オートロック連動システム）が提案されている。
【先行技術文献】
【特許文献】
【０００５】
【特許文献１】特開２００９−２１５０２３号公報
【発明の概要】
【発明が解決しようとする課題】
【０００６】
しかしながら、上記のような非常電源用バッテリからの電力供給はあくまでもエレベータの運転制御に対して行われるものであり、上記のようなオートロックシステムとの連動制御に対しては電力供給が行われていなかった。つまり、従来は停電時継続運転中においては、オートロックシステムと連動した制御は行っておらず、集合住宅等におけるセキュリティ機能は低下することにつながる。
【０００７】
そこで、本実施形態に係る発明においては、建物が停電になった際に、エレベータの運行を非常電源用バッテリからの電力供給によって行う停電時継続運転に移行させ、さらにオートロック連動システムに対しても、この非常電源用バッテリからの電力供給を行うものとする。
【０００８】
したがって本実施形態においては、停電時においてもオートロックシステムと連動したエレベータの乗場呼び登録を行うことができるようにし、停電時のセキュリティ低下を防ぐことができるエレベータシステムを提供することを目的とする。
【課題を解決するための手段】
【０００９】
上記目的を達成するために、本発明の実施形態に係るエレベータシステムは、エレベータの運転を制御する制御装置に対して電源供給を行う商用電源からの電源供給が遮断されたことを検出する停電検出手段と、前記制御装置に対して、前記商用電源と共通の回路を介して接続された非常用バッテリと、前記停電検出手段によって前記商用電源から前記制御装置への電源供給が遮断されたことを検出すると、前記制御装置への電源供給元を前記商用電源から前記非常用バッテリに切り替える、電源供給元切替手段と、建物側に設置されるオートロック機能を有する集合玄関自動ドアと、前記制御装置と接続され、前記玄関自動ドアのオートロック機能を解錠及びロック動作を制御する鍵制御盤と、前記鍵制御盤と接続され、利用者の操作により前記鍵制御盤に対して、解錠信号を出力する集合玄関キーリーダと、前記非常用バッテリと、前記集合玄関自動ドア、前記鍵制御盤、及び前記集合玄関キーリーダとを電気的に接続するための電源バックアップラインと、を備え、前記電源供給元切替手段によって、前記制御装置への電源供給元を前記商用電源から前記非常用バッテリに切り替えられた際に、前記非常用バッテリは、前記電源バックアップラインを介して、前記集合玄関自動ドア、前記鍵制御盤、及び前記集合玄関キーリーダに対して電源を供給することを特徴とする。
【図面の簡単な説明】
【００１０】
【図１】本発明の第１の実施形態に係るエレベータシステムの構成を示すブロック図である。
【図２】本発明の第２の実施形態に係るエレベータシステムの構成を示すブロック図である。
【発明を実施するための形態】
【００１１】
以下、本発明の実施形態について図面を参照して説明する。
【００１２】
（第１の実施形態）
図１は、本発明の第１の実施形態に係るエレベータシステムの構成を示すブロック図である。図１において、ブロック図における実線は信号の接続線を示し、点線は非常電源用バッテリからの電力供給の流れを示す。
【００１３】
図１に示すように、本発明の第１の実施形態に係るエレベータシステムは、セキュリティ連動運転を行うエレベータの制御に関する。セキュリティ連動運転とは、マンション等の集合住宅において、客先設備（玄関オートロックシステム及びインターホンシステム等）からオートロック解除信号が出た場合に、玄関オートロックを解除すると共に、エレベータを集合玄関階に呼び戻す運転制御を指す。このセキュリティ連動運転によって、集合住宅のセキュリティとともにエレベータの利便性も向上する。
【００１４】
次に図１を用いて、本発明の第１の実施形態に係るエレベータシステムの構成について説明する。図１は、本発明の第１の実施形態に係るエレベータシステムの構成を示すブロック図である。
【００１５】
第１の実施形態に係るエレベータシステムは、商用電源１からの供給電力によって制御装置２がエレベータの運行制御を行っている。制御装置２は、コンバータ装置、平滑コンデンサ、インバータ装置等によって構成されるが、本実施形態ではその説明を省略する。
【００１６】
制御装置２には、停電時に商用電源１の代わりに制御装置２に対して電力を供給する非常用バッテリ３が接続されている。制御装置２には、商用電源１からの電力供給が遮断したことを検出する停電検出部２ａが備えられている。また、非常用バッテリ３内には非常用バッテリ３の充放電を制御する充放電制御回路（電源供給元切替手段）３ａが備えられている。
【００１７】
一方、建物側には集合玄関自動ドア４、集合玄関自動ドア４付近に設置される集合玄関キーリーダ５、集合玄関キーリーダ５と電気的に接続される鍵制御盤６、鍵制御盤６と制御装置２との接続を中継するエレベータ・インターフェース補助盤７が設置されている。
【００１８】
また、上述の非常用バッテリ３は、エレベータ・インターフェース補助盤７を介して、集合玄関自動ドア４、集合玄関キーリーダ５、鍵制御盤６に接続されている。本実施形態においては、この接続線を電源バックアップライン８と称す。
【００１９】
集合玄関自動ドア４は、建物エントランス等に設置されオートロック機能を有する。このオートロック機能は、集合玄関自動ドア４付近に設置される集合玄関キーリーダ５を操作することにより、操作信号が鍵制御盤６に入力され、エレベータ・インターフェース補助盤７を介して集合玄関自動ドア４の解錠をすることができるものである。この解錠操作は、例えば、鍵やカードによる解錠操作、暗証番号入力による解錠操作などによって行われる。
【００２０】
本実施形態におけるエレベータシステムは、上記の構成を用いて、このオートロック機能とエレベータ制御とを連動させたオートロック連動システムを採用するものである。次に、通常時におけるオートロック連動システムの動作について説明する。ここでいう「通常時」とは、商用電源１から制御装置２への電力供給状態に異常が無い状態を指す。
【００２１】
まず、集合玄関自動ドア４が設置されている集合住宅の居住者（以下、利用者ともいう。）が、外出から帰宅する際に、この集合玄関自動ドア４を解錠するために、集合玄関自動ドア４付近に設置された集合玄関キーリーダ５に鍵やカードなどをかざすなどし、解錠操作を行う。
【００２２】
利用者が集合玄関キーリーダ５にて解錠操作を行うと、その解錠信号が鍵制御盤６に入力され、鍵制御盤６は受け取った解錠信号に基づいて、集合玄関自動ドア４の解錠を行う。
【００２３】
その一方で、利用者が集合玄関キーリーダ５によって集合玄関自動ドア４の解錠動作を行うと、鍵制御盤６はエレベータ・インターフェース補助盤７を介して、制御装置２にエレベータの制御信号としての解錠信号を出力する。鍵制御盤６から制御信号を受けた制御装置２は、エレベータを建物エントランス階などの基準階に引き戻すよう制御を行う。
【００２４】
以上のような動作を行うことにより、通常時にはオートロック連動制御によって、建物居住者等は、集合玄関キーリーダ５に対して所定の解錠操作を行うことにより、建物エントランスの集合玄関自動ドア４のオートロック機能を解錠するとともに、その建物に設置されているエレベータを建物エントランス階などの基準階に引き戻すことができ、エレベータ利用者としての利便性を向上させることができる。
【００２５】
次に、停電発生などにより、商用電源１から制御装置２への電源供給が遮断された場合のオートロック連動制御について説明する。
【００２６】
非常用バッテリ３が備えられているエレベータについては、停電が発生すると、停電検出部２ａが停電を検出し、充放電制御回路３ａによって制御装置２への電力供給元が商用電源１から非常用バッテリ３に切り替えられる。そして、エレベータは、非常用バッテリ３から電力供給を受ける制御装置２によって、運転が制御される。
【００２７】
本実施形態に係るエレベータシステムにおいては、停電が発生し、電力供給元が商用電源１から非常用バッテリ３に切り替わったのち、非常用バッテリ３は、制御装置２のほかに、エレベータ・インターフェース補助盤７を介して、集合玄関自動ドア４、集合玄関キーリーダ５、鍵制御盤６に対しても電力供給を行う。
【００２８】
すなわち、本実施形態に係る発明によれば、従来停電が発生して、集合玄関自動ドア４のオートロック機能が無効化され手動によって開閉されていたのが、非常用バッテリ３から制御装置２だけでなく、建物側設備に対しても電源供給を行うことができるように配線等を行うことで、停電などの非常時であっても建物のセキュリティ機能を維持することができるようになる。
【００２９】
なお本実施形態においては、停電時に制御装置２への電力供給元が商用電源１から非常用バッテリ３に切り替わった後に、建物側に設置されている集合玄関自動ドア４等のオートロック機能を維持しつつ、エレベータの基準階引き戻し運転をするものとしたが、これに限られず、停電時には、セキュリティ機能を優先するものとしても構わない。
【００３０】
すなわち、停電が発生し、商用電源１から制御装置２への電力供給が遮断された場合、非常用バッテリ３は制御装置２への電力供給は行わず、その代わりにエレベータ・インターフェース補助盤７、電源バックアップライン８を介して、建物側設備である集合玄関自動ドア４、集合玄関キーリーダ５、及び鍵制御盤６に対して電力供給を行うものとする。
【００３１】
これにより、停電時であっても集合玄関自動ドア４のオートロック機能を維持することができ、建物側のセキュリティの低下を防ぐことができる。さらに、従来停電時において非常用バッテリ３から制御装置２へ電力供給を行いエレベータの制御を行うことによって消費していた非常用バッテリ３の電力消費量を削減することができ、より長時間建物のセキュリティを維持することができるようになる。
【００３２】
また、上記のように停電時にセキュリティ機能を優先することに限らず、当然エレベータの運行を優先させてもよい。つまり、停電時に制御装置２への電源供給元が商用電源１から非常用バッテリ３に切り替わり、エレベータの制御を継続することを優先し、集合玄関自動ドア４等の建物側への電力供給は行わないものとしてもよい。
【００３３】
これにより、セキュリティ機能を維持することよりも、例えば建物居住者に車椅子利用者がいるなど、エレベータの運転を優先すべき場合には上記の通り制御装置２への電力供給を優先することとしてもよい。
【００３４】
また、上述のように停電時にエレベータの運行制御を優先するか若しくはセキュリティ機能の維持を優先するかについては、非常用バッテリ３のバッテリ残量に応じて制御するものとしてもよい。以下、具体的に説明する。
【００３５】
停電時において、非常用バッテリ３のバッテリ残量が一定値以上である場合（例えばバッテリ容量の８０％以上など）、上述のセキュリティ機能の維持と、制御装置２によるエレベータの基準階引き戻し運転制御を行うものとする。
【００３６】
一方、停電時において、非常用バッテリ３のバッテリ残量が一定値未満である場合（例えばバッテリ容量の７９％以下など）、上述のセキュリティ機能を優先するため、非常用バッテリ３からの電力供給を制御装置２には行わず、集合玄関自動ドア４、集合玄関キーリーダ５、及び鍵制御盤６に対して電力供給を行うものとしてもよい。
【００３７】
また、当然、セキュリティ機能ではなく、エレベータの運転を優先することも可能であり、この場合には非常用バッテリ３からの電力供給を集合玄関自動ドア４、集合玄関キーリーダ５、及び鍵制御盤６に対して電力供給を行わず、制御装置２に対して電力供給を行うものとしてもよい。
【００３８】
これらのように電力供給先の決定は、予め制御回路によって構成されるものとしてもよいし、建物管理者側で切り替えスイッチなどの操作部の操作により決定されるものとしてもよい。
【００３９】
（第２の実施形態）
次に本発明の第２の実施形態について説明する。図２は本発明の第２の実施形態に係るエレベータシステムの構成を示すブロック図である。
【００４０】
第２の実施形態に係るエレベータシステムは、第１の実施形態に係るエレベータシステムの構成に加え、さらに居室インターホン９、インターホン制御盤１０、集合玄関インターホン１１などからなるインターホンシステムを有する。
【００４１】
インターホンシステムとは、各居住者と集合玄関にいる訪問者との間で会話等ができるシステムである。訪問者は、集合玄関インターホン１１で訪問先の居住者を呼び出し、呼び出しを受けた居住者は、居室内に設けられた居室インターホン９を操作することにより、訪問者と通話をしたり集合玄関自動ドア４のオートロック機能を解錠する解錠信号を出力することによって集合玄関自動ドア４のオートロック機能を解錠させたりするシステムである。以下、詳細に説明する。
【００４２】
居室インターホン９は、建物の居住者の居室などに備えられる。インターホン制御盤１０は建物側に備えられ、エレベータ・インターフェース補助盤７と接続されている。また、集合玄関インターホン１１は、集合玄関キーリーダ５と同様に集合玄関自動ドア４付近に設置される。集合玄関インターホン１１と集合玄関キーリーダ５とは同一装置として構成しても構わない。
【００４３】
居室インターホン９とインターホン制御盤１０とは電気的に接続され、インターホン制御盤１０は、エレベータ・インターフェース補助盤７を介して制御装置２及び鍵制御盤６と接続されている。
【００４４】
また、停電時に商用電源１に代わって電力供給を行う非常用バッテリ３は、第１の実施形態に係るエレベータシステムと同様に、制御装置２と接続され、さらにエレベータ・インターフェース補助盤７を介して、集合玄関自動ドア４、集合玄関キーリーダ５、鍵制御盤６に接続されているほか、インターホン制御盤１０にも接続されている。なお、居室インターホン９については、非常用バッテリ３から電源バックアップライン８を介して電力供給を受けてもよいし、非常用バッテリ３から電力供給を受けたインターホン制御盤１０から電力供給を受けるものとしてもよく、本実施形態においては特に限定しない。
【００４５】
訪問者が集合玄関にて集合玄関インターホン１１を操作すると、入力信号が鍵制御盤６に出力される。鍵制御盤６は入力された信号を、エレベータ・インターフェース補助盤９を介してインターホン制御盤１０に出力される。そしてインターホン制御盤１０は集合玄関インターホン１１にて操作された内容に対応する居室の居室インターホン９と接続し、集合玄関インターホン１１と居室インターホン９との連絡を可能にする。
【００４６】
集合玄関インターホン１１に接続された居室インターホン９は、互いに通信可能となり、例えば通話や解錠操作を行うことができるようになる。具体的には、居室インターホン９側において、集合玄関インターホン１１と接続された場合には、所定の操作を行うことにより、解錠操作を行うことができる。
【００４７】
解錠操作を行うことにより、解錠信号が居室インターホン９からインターホン制御盤１０に入力され、さらにエレベータ・インターフェース補助盤７を介して鍵制御盤６に解錠信号を出力する。解錠信号を受け取った鍵制御盤６は集合玄関自動ドア４の解錠を行う。
【００４８】
以上により、居室インターホン９を有するインターホンシステムによって、建物の集合玄関自動ドア４の解錠を行うことができる。この際、本発明の第１の実施形態と同様に解錠操作とともにエレベータの引き戻し制御を行うものとしてもよい。制御動作については第１の実施形態と同様のため説明は省略する。
【００４９】
また、本実施形態に係る発明によれば、従来停電が発生して、集合玄関自動ドア４のオートロック機能が無効化され手動によって開閉されていたのが、非常用バッテリ３から制御装置２だけでなく、建物側設備に対しても電源供給を行うことができるように配線等を行うことで、停電などの非常時であっても建物のセキュリティ機能を維持することができるようになる。
【００５０】
なお本実施形態においては、停電時に制御装置２への電力供給元が商用電源１から非常用バッテリ３に切り替わった後に、建物側に設置されている集合玄関自動ドア４等のオートロック機能を維持しつつ、エレベータの基準階引き戻し運転をするものとしたが、これに限られず、停電時には、セキュリティ機能を優先するものとしても構わない。
【００５１】
すなわち、停電が発生し、商用電源１から制御装置２への電力供給が遮断された場合、非常用バッテリ３は制御装置２への電力供給は行わず、その代わりにエレベータ・インターフェース補助盤７、電源バックアップライン８を介して、建物側設備である集合玄関自動ドア４、集合玄関キーリーダ５、鍵制御盤６、及びインターホン制御盤１０に対して電力供給を行うものとする。
【００５２】
これにより、停電時であっても集合玄関自動ドア４のオートロック機能を維持することができ、建物側のセキュリティの低下を防ぐことができる。さらに、従来停電時において非常用バッテリ３から制御装置２へ電力供給を行いエレベータの制御を行うことによって消費していた非常用バッテリ３の電力消費量を削減することができ、より長時間建物のセキュリティを維持することができるようになる。
【００５３】
また、上記のように停電時にセキュリティ機能を優先することに限らず、当然エレベータの運行を優先させてもよい。つまり、停電時に制御装置２への電源供給元が商用電源１から非常用バッテリ３に切り替わり、エレベータの制御を継続することを優先し、集合玄関自動ドア４等の建物側への電力供給は行わないものとしてもよい。
【００５４】
これにより、セキュリティ機能を維持することよりも、例えば建物居住者に車椅子利用者がいるなど、エレベータの運転を優先すべき場合には上記の通り制御装置２への電力供給を優先することとしてもよい。
【００５５】
また、上述のように停電時にエレベータの運行制御を優先するか若しくはセキュリティ機能の維持を優先するかについては、非常用バッテリ３のバッテリ残量に応じて制御するものとしてもよい。以下、具体的に説明する。
【００５６】
停電時において、非常用バッテリ３のバッテリ残量が一定値以上である場合（例えばバッテリ容量の８０％以上など）、上述のセキュリティ機能の維持と、制御装置２によるエレベータの基準階引き戻し運転制御を行うものとする。
【００５７】
一方、停電時において、非常用バッテリ３のバッテリ残量が一定値未満である場合（例えばバッテリ容量の７９％以下など）、上述のセキュリティ機能を優先するため、非常用バッテリ３からの電力供給を制御装置２には行わず、集合玄関自動ドア４、集合玄関キーリーダ５、鍵制御盤６及びインターホン制御盤１０に対して電力供給を行うものとしてもよい。
【００５８】
また、当然、セキュリティ機能ではなく、エレベータの運転を優先することも可能であり、この場合には非常用バッテリ３からの電力供給を集合玄関自動ドア４、集合玄関キーリーダ５、鍵制御盤６及びインターホン制御盤１０に対して電力供給を行わず、制御装置２に対して電力供給を行うものとしてもよい。
【００５９】
これらのように電力供給先の決定は、予め制御回路によって構成されるものとしてもよいし、建物管理者側で切り替えスイッチなどの操作部の操作により決定されるものとしてもよい。
【符号の説明】
【００６０】
１…商用電源
２…制御装置
３…非常用バッテリ
４…集合玄関自動ドア
５…集合玄関キーリーダ
６…鍵制御盤
７…エレベータ・インターフェース補助盤
８…電源バックアップライン
９…居室インターホン
１０…インターホン制御盤
１１…集合玄関インターホン
【図１】
2014213988.tif 000003
【図２】
2014213988.tif 000004